(57)【要約】【課題】筐体内に照明光源を収容する場合でも、撮像画像に関して照明光の反射に起因するノイズ光の影響を抑制し得る構成を提供する。【解決手段】照明光源２１から照射される照明光Ｌｆを読取面１４に向けて反射する反射部材５０と、読取面１４にかざされた撮像対象を撮像部２３の撮像範囲内とするように構成される結像部２７とが設けられている。上記撮像範囲のうち、結像部２７と読取面１４との間にて構成される範囲を第１撮像範囲ＡＲ１、読取面１４にて筐体内側に反射した場合に第１撮像範囲ＡＲ１に続くように読取面１４と反射部材５０との間にて構成される範囲を第２撮像範囲ＡＲ２とするとき、反射部材５０は、第１撮像範囲ＡＲ１外となる位置に配置され、照明光源２１、撮像部２３及び結像部２７は、第２撮像範囲ＡＲ２外となる位置に配置される。そして、照明光源２１により、反射部材５０のうち第２撮像範囲ＡＲ２となる反射面５５に向けて照明光Ｌｆが照射される。【選択図】図４
2019046212.tif 000002
【特許請求の範囲】
【請求項１】
読取面が設けられる筐体と、
前記筐体内に配置される照明光源と、
前記照明光源から照射される照明光を前記読取面に向けて反射する反射部材と、
前記筐体内に配置される撮像部と、
前記読取面にかざされた撮像対象を前記撮像部の撮像範囲内とするように構成される結像部と、
備え、
前記撮像範囲のうち、前記結像部と前記読取面との間にて構成される範囲を第１撮像範囲、前記読取面にて前記筐体内側に反射した場合に前記第１撮像範囲に続くように前記読取面と前記反射部材との間にて構成される範囲を第２撮像範囲とするとき、
前記反射部材は、前記第１撮像範囲外となる位置に配置され、
前記照明光源、前記撮像部及び前記結像部は、前記第２撮像範囲外となる位置に配置され、
前記照明光源は、前記反射部材のうち前記第２撮像範囲となる所定の反射面に向けて前記照明光を照射することを特徴とする光学的情報読取装置。
【請求項２】
前記照明光源は、前記所定の反射面での照度分布のばらつきを抑制するように前記照明光を照射することを特徴とする請求項１に記載の光学的情報読取装置。
【請求項３】
前記読取面は、読取口として開口しており、
前記読取口の少なくとも一部を閉塞する透光性のプレートが配置されることを特徴とする請求項１又は２に記載の光学的情報読取装置。
【請求項４】
前記読取面には、前記撮像対象を載置するための載置部が設けられることを特徴とする請求項１〜３のいずれか一項に記載の光学的情報読取装置。
【請求項５】
前記載置部は、前記筐体と一体的に設けられることを特徴とする請求項４に記載の光学的情報読取装置。
【請求項６】
前記照明光源は、面光源であることを特徴とする請求項１〜５のいずれか一項に記載の光学的情報読取装置。
【請求項７】
前記照明光源と前記反射部材との間に前記照明光を拡散する拡散材を配置することを特徴とする請求項１〜６のいずれか一項に記載の光学的情報読取装置。
【請求項８】
前記反射部材のうち少なくとも前記所定の反射面に複数の凹凸を設けることを特徴とする請求項１〜７のいずれか一項に記載の光学的情報読取装置。
【請求項９】
前記反射部材は、少なくとも前記所定の反射面が曲面となるように形成されることを特徴とする請求項１〜８のいずれか一項に記載の光学的情報読取装置。
【請求項１０】
前記照明光源は、前記所定の反射面での照度分布が当該照明光源からの距離に応じて徐々に変化するように前記照明光を照射することを特徴とする請求項１〜９のいずれか一項に記載の光学的情報読取装置。
【請求項１１】
前記読取面のうち所定の範囲に向けて、前記照明光源からの前記照明光の一部を、前記反射部材を介すことなく照射するためのレンズを備えることを特徴とする請求項１〜１０のいずれか一項に記載の光学的情報読取装置。
【請求項１２】
前記読取面のうち所定の範囲に向けて、第２の照明光を照射する第２照明光源を備えることを特徴とする請求項１〜１０のいずれか一項に記載の光学的情報読取装置。
【請求項１３】
前記照明光源は、第１の発光部及び第２の発光部と、前記第１の発光部と前記第２の発光部と間に配置されて、第１の側面にて前記第１の発光部からの光が入射し前記第１の側面に対向する第２の側面にて前記第２の発光部からの光が入射する導光板とを備え、
前記導光板は、前記第１の側面及び前記第２の側面から入射した光が出射面に向けて反射される複数の溝を内部に有し、
前記複数の溝は、前記第１の側面側となる面の形状と前記第２の側面側となる面の形状とが異なるように非対称に形成されることを特徴とする請求項１〜１０のいずれか一項に記載の光学的情報読取装置。
【請求項１４】
前記照明光源は、発光部と、一側面にて前記発光部からの光が入射する導光板とを備え、
前記導光板は、前記一側面から入射した光が出射面に向けて反射される複数の溝を内部に有し、
前記複数の溝は、前記導光板の各側面のうち前記一側面に対向する面を他側面とするとき、前記一側面側となる面の形状と前記他側面側となる面の形状とが異なるように非対称に形成されることを特徴とする請求項１〜１０のいずれか一項に記載の光学的情報読取装置。
【請求項１５】
前記他側面には、反射材が設けられることを特徴とする請求項１４に記載の光学的情報読取装置。
【発明の詳細な説明】
【技術分野】
【０００１】
本発明は、光学的情報読取装置に関するものである。
【背景技術】
【０００２】
現在、表示媒体に表示されるバーコードやＱＲコード（登録商標）等の情報コードを光学的に読み取る光学的情報読取装置が広く提供されており、店舗や事業所などで用いられる据置型の光学的情報読取装置としては、例えば、下記特許文献１に開示される据置型の情報コード読取装置が知られている。この据置型の情報コード読取装置は、ケース上面の中央部に読取口が形成され、この読取口を介して外部を撮像可能に撮像部等がケース内部に収容されて構成されている。そして、読取口に向けて情報コードがかざされた場合に、この情報コードが撮像部によって撮像され、その撮像されたコード画像が公知の解読方法で解読される構成となっている。
【先行技術文献】
【特許文献】
【０００３】
【特許文献１】特開２０１４−２１９７９６号公報
【発明の概要】
【発明が解決しようとする課題】
【０００４】
特に、近年では、光学的情報読取装置として、情報コードの読み取りだけでなく、例えば、ＯＣＲ機能を利用したパスポートの読み取り等、表示媒体に表示される多種多様な光学的情報の読み取りが求められている。その際、例えば、パスポート等ではその撮像画像も保存したいというニーズがあり、このニーズに対応する据置型の光学的情報読取装置の需要が増加している。
【０００５】
このような据置型の光学的情報読取装置では、一般的に、筐体の上面に防塵プレート等で覆われた読取面（読取口）が形成され、筐体の内部には、受光センサなどからなる撮像部や撮像部で読取面を介して撮像可能となる撮像範囲を定めるための結像レンズ、照明光源等が収容されている。このため、照明光源からの照明光の一部が防塵プレートで反射されてノイズ光として撮像画像に写り込む場合がある。同様に、照明光源からの照明光の一部が読取面にかざされた表示媒体で反射されることでもノイズ光が撮像画像に写り込む場合がある。上記特許文献１に開示される据置型の情報コード読取装置のように、情報コードを解読するための撮像画像であれば、ノイズ光が写り込んでもデコード結果に影響を及ぼす可能性は低いが、撮像画像を保存することが前提であると、防塵プレート等による反射に起因して生じるノイズ光のために鮮明な撮像画像が取得できないという問題が生じる。
【０００６】
本発明は、上述した課題を解決するためになされたものであり、その目的とするところは、筐体内に照明光源を収容する場合でも、撮像画像に関して照明光の反射に起因するノイズ光の影響を抑制し得る構成を提供することにある。
【課題を解決するための手段】
【０００７】
上記目的を達成するため、特許請求の範囲の請求項１に記載の発明は、
読取面（１４）が設けられる筐体（１１）と、
前記筐体内に配置される照明光源（２１）と、
前記照明光源から照射される照明光（Ｌｆ）を前記読取面に向けて反射する反射部材（５０）と、
前記筐体内に配置される撮像部（２３）と、
前記読取面にかざされた撮像対象を前記撮像部の撮像範囲内とするように構成される結像部（２７）と、
備え、
前記撮像範囲のうち、前記結像部と前記読取面との間にて構成される範囲を第１撮像範囲（ＡＲ１）、前記読取面にて前記筐体内側に反射した場合に前記第１撮像範囲に続くように前記読取面と前記反射部材との間にて構成される範囲を第２撮像範囲（ＡＲ２）とするとき、
前記反射部材は、前記第１撮像範囲外となる位置に配置され、
前記照明光源、前記撮像部及び前記結像部は、前記第２撮像範囲外となる位置に配置され、
前記照明光源は、前記反射部材のうち前記第２撮像範囲となる所定の反射面（５５）に向けて前記照明光を照射することを特徴とする。
なお、上記各括弧内の符号は、後述する実施形態に記載の具体的手段との対応関係を示すものである。
【発明の効果】
【０００８】
請求項１の発明では、照明光源から照射される照明光を読取面に向けて反射する反射部材と、読取面にかざされた撮像対象を撮像部の撮像範囲内とするように構成される結像部とが設けられている。上記撮像範囲のうち、結像部と読取面との間にて構成される範囲を第１撮像範囲、読取面にて筐体内側に反射した場合に第１撮像範囲に続くように読取面と反射部材との間にて構成される範囲を第２撮像範囲とするとき、反射部材は、第１撮像範囲外となる位置に配置され、照明光源、撮像部及び結像部は、第２撮像範囲外となる位置に配置される。そして、照明光源により、反射部材のうち第２撮像範囲となる所定の反射面に向けて照明光が照射される。
【０００９】
これにより、読取面にかざされた撮像対象を撮像する際、その撮像画像に、撮像対象による反射のために読取面よりも筐体内側が写り込むとしても、照明光が照射されている反射部材の所定の反射面の全体が撮像されやすくなる。このため、照明光源が直接撮像される場合等と比較して、撮像画像において必要な照度を確保しつつ照明光が目立たなくなり照明光に起因するノイズ光の発生を抑制することができる。したがって、筐体内に照明光源を収容する場合でも、撮像画像に関して照明光の反射に起因するノイズ光の影響を抑制することができる。
【００１０】
請求項２の発明では、照明光源により、所定の反射面での照度分布のばらつきを抑制するように照明光が照射されるため、所定の反射面での照度分布が均一になりやすくなる結果、撮像画像において照明光がより目立たなくなる。したがって、撮像画像に関して照明光の反射に起因するノイズ光の影響を確実に抑制することができる。
【００１１】
請求項３の発明では、読取面は、読取口として開口しており、この読取口の少なくとも一部を閉塞する透光性のプレートが配置される。このため、読取面（読取口）にかざすようにしてプレート上に載置した撮像対象を撮像する際、その撮像画像に、プレートによる反射のためにプレートよりも筐体内側が写り込むとしても、照明光が照射されている反射部材の所定の反射面の全体が撮像されやすくなるため、照明光源が直接撮像される場合等と比較して、撮像画像において必要な照度を確保しつつ照明光が目立たなくなり照明光に起因するノイズ光の発生を抑制することができる。したがって、防塵プレート等のように読取口を閉塞する透光性のプレートを採用する場合でも、撮像画像に関して照明光の反射に起因するノイズ光の影響を抑制することができる。
【００１２】
請求項４の発明では、読取面には、撮像対象を載置するための載置部が設けられるため、撮像対象を読取面にかざしやすくなるだけでなく、撮像時の読取面に対する撮像対象の位置を限定しやすくすることができる。このため、撮像対象による反射のために読取面よりも筐体内側が写り込むとしても、上記所定の反射面と異なる部分が写り込み難くなるので、当該所定の反射面を利用したノイズ光抑制効果を向上させることができる。
【００１３】
請求項５の発明では、載置部は、筐体と一体的に設けられるため、載置部を採用することによる部品点数削減を図ることができるだけでなく、載置部と読取面との相対位置精度が向上する。このため、撮像時の読取面に対する撮像対象の位置を精度良く限定することができ、上記所定の反射面を利用したノイズ光抑制効果をさらに向上させることができる。
【００１４】
請求項６の発明では、照明光源は、面光源であるため、上記所定の反射面に対してほぼ均一な照度で照明光を照射することができるので、当該所定の反射面を利用したノイズ光抑制効果を向上させることができる。
【００１５】
請求項７の発明では、照明光源と反射部材との間に照明光を拡散する拡散材が配置されるため、拡散材にて拡散された照明光が上記所定の反射面に照射される。これにより、上記所定の反射面での照度分布が均一になりやすくなるため、当該所定の反射面を利用したノイズ光抑制効果を向上させることができる。
【００１６】
請求項８の発明では、反射部材のうち少なくとも所定の反射面に複数の凹凸が設けられるため、当該所定の反射面での照度分布が均一になりやすくなるので、当該所定の反射面を利用したノイズ光抑制効果を向上させることができる。
【００１７】
請求項９の発明では、反射部材は、少なくとも所定の反射面が曲面となるように形成されるため、上記所定の反射面の曲率に応じて読取面での照度分布を制御できる。このため、例えば、読取面の端側での照度分布を高めるような曲率を有するように所定の反射面を形成することで、結像部の周辺光量低下を補うことができる。
【００１８】
請求項１０の発明では、照明光源は、所定の反射面での照度分布が当該照明光源からの距離に応じて徐々に変化するように照明光を照射する。このようにしても、所定の反射面での照度分布の変化を抑制しつつ、例えば、読取面の端側での照度分布を高めて結像部の周辺光量低下を補うことができる。
【００１９】
請求項１１の発明では、読取面のうち所定の範囲に向けて、照明光源からの照明光の一部を、反射部材を介すことなく照射するためのレンズが設けられる。このレンズにより照明光の一部を、上記所定の範囲として、例えば、結像部の周辺光量低下が生じるような読取面の端側に向けて照射することで、結像部の周辺光量低下を補うことができる。
【００２０】
請求項１２の発明では、読取面のうち所定の範囲に向けて、第２の照明光を照射する第２照明光源が設けられる。第２照明光源による第２の照明光を、上記所定の範囲として、例えば、結像部の周辺光量低下が生じるような読取面の端側に向けて照射することで、結像部の周辺光量低下を補うことができる。
【００２１】
請求項１３の発明では、照明光源は、第１の発光部及び第２の発光部と、第１の発光部と第２の発光部と間に配置されて、第１の側面にて第１の発光部からの光が入射し第２の側面にて第２の発光部からの光が入射する導光板とを備えている。そして、導光板は、第１の側面及び第２の側面から入射した光が出射面に向けて反射される複数の溝を内部に有し、複数の溝は、第１の側面側となる面の形状と第２の側面側となる面の形状とが異なるように非対称に形成される。
【００２２】
これにより、複数の溝の第１の側面側となる面の形状と第２の側面側となる面の形状とがそれぞれ対称となるように形成される場合と比較して、出射面から出射される照明光の照度分布がばらつきやすくなる。すなわち、所望する照明光の照度分布に応じて複数の溝の形状を変えることで、出射面を介して照明光を複数方向に照射できるだけでなく、例えば、照明光の一部を所定の反射面に向けて照射し照明光の他の一部を結像部の周辺光量低下が生じるような読取面の端側に向けて照射する等、その照射方向を制御することができる。
【００２３】
請求項１４の発明では、照明光源は、発光部と、一側面にて発光部からの光が入射する導光板とを備えている。そして、導光板は、一側面から入射した光が出射面に向けて反射される複数の溝を内部に有し、複数の溝は、一側面側となる面の形状と一側面に対向する他側面側となる面の形状とが異なるように非対称に形成される。
【００２４】
一側面から入射した光が他側面にて一側面側に内部反射することで、請求項１３の発明と同様に、出射面から出射される照明光の照度分布がばらつきやすくなる。これにより、所望する照明光の照度分布に応じて複数の溝の形状を変えることで、請求項１３の発明と同様に、出射面を介して照明光を複数方向に照射できるだけでなく、その照射方向を制御することができる。特に、一側面側に発光部を配置すればよいので、他の側面側に発光部を配置する必要も無く、照明光源の省スペース化及び部品点数削減を図ることができる。
【００２５】
請求項１５の発明では、他側面には、反射材が設けられる。これにより、一側面から入射した光が他側面にて一側面側に内部反射しやすくなるために反射効率が高まるので、反射材が設けられないために一側面から入射した光の一部が他側面を透過することを抑制できる結果、出射面を介し複数方向に照射される照明光の照度を高めることができる。
【図面の簡単な説明】
【００２６】
【図１】第１実施形態に係る光学的情報読取装置を示す斜視図である。
【図２】図１の光学的情報読取装置の平面図である。
【図３】図２の光学的情報読取装置のＸ−Ｘ断面を概略的に示す断面概略図である。
【図４】Ｘ−Ｘ断面に関して第１撮像範囲及び第２撮像範囲を説明する説明図である。
【図５】照明光源側から見た第１撮像範囲及び第２撮像範囲を説明する説明図である。
【図６】図１の情報読取装置の電気的構成を概略的に例示するブロック図である。
【図７】パスポートにおける表示面の表示状態を示す説明図である。
【図８】パスポートの表示面を読取面に接触させるようにかざした状態を示す斜視図である。
【図９】複数の点光源により構成される照明光源を説明する説明図である。
【図１０】第２実施形態に係る光学的情報読取装置の要部を説明する説明図である。
【図１１】第３実施形態に係る光学的情報読取装置の要部を説明する説明図である。
【図１２】第５実施形態に係る光学的情報読取装置の要部を説明する説明図である。
【図１３】第５実施形態の第１変形例に係る光学的情報読取装置の要部を説明する説明図である。
【図１４】第５実施形態の第２変形例に係る光学的情報読取装置の要部を説明する説明図である。
【図１５】第６実施形態に係る光学的情報読取装置の要部を説明する説明図である。
【図１６】照度分布が均一な反射面からの照明光による読取面での照度分布を説明する説明図である。
【図１７】第６実施形態の変形例に係る光学的情報読取装置の要部を説明する説明図である。
【図１８】第７実施形態に係る光学的情報読取装置の要部を説明する説明図である。
【図１９】図１９（Ａ）は、第１の側面側からの光が照明光として出射される照射方向を説明する説明図であり、図１９（Ｂ）は、第２の側面側からの光が照明光として出射される照射方向を説明する説明図である。
【図２０】第７実施形態の第１変形例に係る光学的情報読取装置の要部を説明する説明図である。
【図２１】第７実施形態の第２変形例に係る光学的情報読取装置の要部を説明する説明図である。
【図２２】保護プレートを照明光源よりも下方に配置した状態を説明する説明図である。
【発明を実施するための形態】
【００２７】
［第１実施形態］
以下、本発明の第１実施形態に係る光学的情報読取装置について、図面を参照して説明する。
図１及び図２等に示す光学的情報読取装置１０は、机や棚などの上面を載置面としてこの載置面上に載置される据置型の読取装置であって、撮像した撮像対象に表示される情報コードや文字情報等の表示情報（光学的情報）を光学的に読み取るだけでなく当該撮像対象の撮像画像を保存可能な撮像画像保存装置として構成されるものである。本実施形態では、特定の文字フォーマットを利用した所定の文字情報や情報コード等の表示情報が表示面に表示される表示媒体を撮像対象としている。このため、光学的情報読取装置１０は、撮像した文字情報等を認識する公知の記号認識処理機能（ＯＣＲ）や撮像した情報コードを読み取る情報コードリーダとしての機能など、撮像した光学的情報を光学的に読み取る機能（光学的情報読取手段）を有するように構成されている。
【００２８】
本実施形態では、特定の文字フォーマットを利用して所定の情報等が表示面に表示される表示媒体（撮像対象）として、例えば、図７に例示するようなパスポート（旅券）６０を想定している。パスポート６０は、図７に示すように、国際民間航空機関（ＩＣＡＯ）が発行するＤｏｃ９３０３の規格に基づいて、顔写真が表示された身分事項のページ（以下、表示面６１ともいう）が見開きの一方の片面となるように構成されている。この表示面６１のうち下欄となる決められた領域には、決められた特定の文字フォーマットを利用した旅券情報６１ａが表示されている。そして、光学的情報読取装置１０が撮像画像保存装置として機能する場合には、表示面６１が撮像された撮像画像を保存するための画像保存処理がなされる。なお、情報コードとしては、例えば、バーコード等の一次元コードやＱＲコード（登録商標）等の二次元コードなど複数種類のセルが配列されて構成される公知のコードを想定している。このため、本実施形態では、パスポート６０の表示面６１を撮像して旅券情報６１ａを認識するパスポート読取モード、情報コードを光学的に読み取る情報コード読取モード、文字認識不要な運転免許証等を撮像してその画像を保存する免許証等読取モードの少なくとも３つのモードが切り替え可能に用意されている。
【００２９】
光学的情報読取装置１０は、例えばＡＢＳ樹脂等の樹脂材料によって当該光学的情報読取装置１０の外郭を構成する筐体１１を備えている。この筐体１１は、図１等に示すように、上ケース１２と下ケース１３と備えており、これら上ケース１２と下ケース１３とが上下に組み付けられた構成で全体として略箱状に形成されている。そして、筐体１１の内部には、後述する照明光源２１、結像部２７、撮像部２３、反射部材５０などの各部品が収容されている。
【００３０】
図２等に示すように、筐体１１の上面１１ａには光の出入口となる読取面１４が読取口として矩形状に開口するように形成されており、読取面１４を介して筐体外からの光が筐体内に入り込み、筐体内からの光が筐体外に放出されるようになっている。そして、結像部２７、撮像部２３によって構成される光学系は、この読取面１４にかざされる表示媒体を撮像するように機能する。
【００３１】
筐体１１の上面１１ａは、読取面１４と当該読取面１４の一辺１４ａに連なる帯状の一端部１５とにより構成されて、保護プレート１６により読取口が閉塞されるようにして保護されている。この保護プレート１６は、所定の厚さの平坦な板として構成され、筐体外からの光や筐体内からの光が透過可能となる透光性（光透過性）のプレート（例えば、透明なアクリル樹脂や透明ガラス等）によって構成されている。また、一端部１５には、後述する操作部４２や表示部４３等が配置されている。
【００３２】
読取面１４の四辺のうち一辺１４ａに対向する辺１４ｂは、筐体１１の上面１１ａの一縁に相当し、読取面１４の四辺のうち他の２辺１４ｃ，１４ｄも筐体１１の上面１１ａの他の一縁にそれぞれ相当する。このため、上面１１ａは、図２に示すように、一端部１５を除いた読取面１４を囲う３つの縁部分の幅が、上ケース１２の四角環状に形成される本体部１２ａの厚みにほぼ等しくなるように形成される。すなわち、上面１１ａは、辺１４ｂ〜１４ｄに沿う各縁部分の幅が一端部１５に対して小さくなるように形成されている。
【００３３】
読取面１４は、パスポート６０の表示面６１に合わせて形成されている。具体的には、読取面１４は、上記他の２辺１４ｃ，１４ｄ間の距離が表示面６１の幅Ｗ（図７参照）にほぼ一致するように形成されている。また、表示面６１とこの表示面６１を見開きの一方の片面とする他方の片面６２との間となる部分を境界部６３（図７参照）とし、図８に示すように、境界部６３を上記上面１１ａの一縁に合わせるようにパスポート６０の表示面６１を読取面１４に接触させるようにかざしたときに、読取面１４は、表示面６１の下縁６１ｂが一辺１４ａにほぼ一致するように形成されている。
【００３４】
下ケース１３は、その高さがパスポート６０の読み取りに適するように設定されている。具体的には、下ケース１３の底面１３ａには載置時に載置面に接触する複数の脚部が設けられており、下ケース１３は、図８に示すように、境界部６３を上記上面１１ａの一縁に合わせるようにパスポート６０の表示面６１を読取面１４に接触させるようにかざしたときに、他方の片面６２の一縁６２ａが底面１３ａに達し載置面には達しない高さとなるように形成されている。
【００３５】
次に、光学的情報読取装置１０の電気的構成について説明する。図６に示すように、光学的情報読取装置１０は、主に、照明光源２１、結像部２７、撮像部２３等の光学系と、メモリ３５、制御部４０等のマイクロコンピュータ（以下「マイコン」という）系と、図示しない電源部、電源スイッチ等の電源系とを備えている。
【００３６】
光学系は、投光光学系と、受光光学系とに分かれている。投光光学系を構成する照明光源２１は、均一な照明光Ｌｆを照射可能な面光源として機能するものである。この照明光源２１は、一端部１５の下方に配置されて、反射部材５０の反射面５５（後述する）に向けて照明光Ｌｆを照射するように構成されている。このように、照明光源２１として面光源が採用されるため、照明光Ｌｆが照射される反射部材５０での照度分布のばらつきを抑制することができる。
【００３７】
また、図１〜図５に示すように、投光光学系は、照明光源２１からの光を反射して導く反射部材５０を備えている。この反射部材５０は、筐体１１の内部において照明光源２１からの照明光Ｌｆが照射される位置であって後述する第１撮像範囲ＡＲ１外となる位置に配置され、照明光源２１からの照明光Ｌｆが読取面１４を通って筐体１１の外部に照射されるように導く構成となっている。反射部材５０は、第１反射部５１、第２反射部５２及び第３反射部５３を備えている。第１反射部５１は、図３に示すように、上端が読取面１４の辺１４ｂに連なるように平面状に形成されている。また、第２反射部５２は上端が読取面１４の辺１４ｃに連なり、第３反射部５３は上端が読取面１４の辺１４ｄに連なるように、それぞれ平面状に形成されている。また、第１反射部５１の下端には、結像部２７を露出させる開口５４が形成されている。なお、図６では、便宜上、反射部材５０の図示を省略している。
【００３８】
図３及び図６に示すように、受光光学系は、撮像部２３、結像部２７などによって構成されている。撮像部２３は、例えばＣＣＤ素子やＣＭＯＳ素子等の固体撮像素子（受光素子）が二次元的に配列された受光センサ（エリアセンサ）などによって撮像手段として構成されており、結像部２７に面する側に筐体外からの光を受光し得る受光面２３ａが配置されている。この撮像部２３は、読取面１４を介して入射した光が結像部２７を通過して受光面２３ａに入り込もうとする入射光を受光し得るように基板に実装されている。
【００３９】
結像部２７は、公知の結像レンズによって構成され、結像光学系として機能している。この結像部２７は、撮像部２３で撮像可能となる撮像範囲を定めると共に、筐体１１の外部から読取面１４を通過して入り込んだ光を撮像部２３の受光面２３ａに導く構成となっている。この結像部２７は、読取面１４にかざされたパスポート６０の表示面６１等の撮像対象が撮像部２３の撮像範囲内とするように配置される。
【００４０】
そして、結像部２７は、筐体１１の外部において撮像範囲内に撮像対象が配置されたときに当該撮像対象の像を撮像部２３の受光面２３ａに結像させるように機能する。本構成では、照明光源２１から照射され、反射部材５０によって筐体外に導かれた照明光Ｌｆを撮像対象に当てながら当該撮像対象を撮像し得るようになっており、結像部２７は、撮像対象が撮像範囲内に配置されたときに、この撮像対象からの反射光を集光し、撮像部２３の受光面２３ａに撮像対象の像を結像させるように構成されている。
【００４１】
特に、本実施形態では、図４及び図５に示すように、上記撮像範囲のうち、結像部２７と読取面１４との間にて構成される範囲を第１撮像範囲ＡＲ１、読取面１４にて保護プレート１６等により筐体内側に反射した場合に第１撮像範囲ＡＲ１に続くように読取面１４と反射部材５０との間にて構成される範囲を第２撮像範囲ＡＲ２とするとき、結像部２７は、各反射部５１〜５３が第１撮像範囲ＡＲ１外となるように配置される。すなわち、反射部材５０は、第１撮像範囲ＡＲ１外となる位置に配置されている。また、撮像画像への写り込みを抑制するため、照明光源２１、撮像部２３及び結像部２７は、第２撮像範囲ＡＲ２外となる位置に配置される。
【００４２】
そして、照明光源２１は、照明光Ｌｆの撮像画像への写り込みの影響を抑制するため、各反射部５１〜５３のうち第２撮像範囲ＡＲ２となる所定の反射面（以下、反射面５５ともいう）に向け、この反射面５５での照度分布がほぼ均一となるように照明光Ｌｆを照射するように配置される。なお、図５では、便宜上、反射面５５にハッチングを付している。
【００４３】
マイコン系は、増幅回路３１、Ａ／Ｄ変換回路３４、メモリ３５、アドレス発生回路３６、同期信号発生回路３８、制御部４０等によって構成されており、例えば上述した光学系によって撮像された撮像画像に関する画像信号を信号処理するように構成されている。具体的には、撮像範囲内に配置された表示情報等が撮像部２３によって撮像されたときの撮像画像のデータをメモリ３５に記憶可能に構成されており、制御部４０は、このような表示情報等の画像データを解析し、文字情報等であればＯＣＲ技術を用いて認識するように構成されている。また、制御部４０は、撮像範囲内に配置された情報コードが撮像部２３によって撮像された場合には、この情報コードのコード画像を解析することで光学的に読み取る情報コード読取手段として機能するように構成されている。すなわち、制御部４０は、撮像部２３による撮像結果に基づいて表示面に表示される表示情報を読み取る読取部として機能する。
【００４４】
また、図６に示すように、制御部４０には、操作部４２、表示部４３、スピーカ４４、通信インタフェース４８等が接続されている。操作部４２は、一端部１５に対して外部操作可能に設けられるタッチスイッチとしてモード切替スイッチ４２ａとスキャンスイッチ４２ｂとを備えており、使用者の操作に応じて制御部４０に対して操作信号を与える構成をなしており、制御部４０は、操作部４２から操作信号を受けたとき、その操作信号に応じた動作を行うように構成されている。モード切替スイッチ４２ａは、上述したパスポート読取モード、情報コード読取モード、免許証等読取モード等を切り替える際に操作されるスイッチとして構成され、スキャンスイッチ４２ｂは、その切り替えられたモードにて読み取りを開始する際に操作されるスイッチとして構成されている。なお、例えば、パスポート６０等、既定の表示媒体が検出可能に読取面１４にかざされる場合には、操作部４２を操作することなく、検出された表示媒体に応じたモードに自動的に切り替えた上で自動的に読み取りを開始してもよい。
【００４５】
表示部４３は、一端部１５に設けられるモード表示ＬＥＤ４３ａと読取確認等表示ＬＥＤ４３ｂとを備えており、モード切替スイッチ４２ａとスキャンスイッチ４２ｂとの間であって、読取確認等表示ＬＥＤ４３ｂがモード表示ＬＥＤ４３ａよりも細長くなるように配置されている。表示部４３は、制御部４０により制御されて、切り替えられたモードを識別可能にモード表示ＬＥＤ４３ａが点灯し、読取結果等を確認可能に読取確認等表示ＬＥＤ４３ｂが点灯するように構成されている。具体的には、例えば、モード表示ＬＥＤ４３ａは、パスポート読取モードに切り替えられている場合に緑色に点灯し、情報コード読取モードに切り替えられている場合に赤色に点灯し、免許証等読取モードに切り替えられている場合に青色に点灯し、切り替えられたモードを表示可能な表示部として機能する。また、例えば、読取確認等表示ＬＥＤ４３ｂは、読み取り又は撮像可能な状態である場合に緑色に点灯し、読み取りが成功した場合に青色に点灯し、読み取りが失敗した場合に赤色に点灯し、読取部による読取結果を表示可能な表示部として機能する。
【００４６】
スピーカ４４は、公知のスピーカ等によって発音部として構成されており、制御部４０からの動作信号に応じて、予め設定された音声やアラーム音等の各種通知音を、一端部１５に設けられる放音口４４ａを介して放音するように構成されている。なお、保護プレート１６は、放音口４４ａを露出させるように形成されてもよい。
【００４７】
通信インタフェース４８は、外部機器との間でのデータ通信を行うためのインタフェースとして構成されており、制御部４０と協働して通信処理を行う構成をなしている。
【００４８】
このように構成される光学的情報読取装置１０では、例えば、パスポート６０を読み取る場合には、モード切替スイッチ４２ａを操作することでパスポート読取モードに切り替えた後、図８に示すように、境界部６３を上面１１ａの一縁（１４ｂ側）に合わせるように表示面６１を読取面１４に接触させるようにかざした状態でスキャンスイッチ４２ｂを操作する。これにより、反射部材５０にて反射された照明光源２１からの照明光Ｌｆが照射された状態で表示面６１が撮像され、この表示面６１に表示される旅券情報６１ａ等がＯＣＲ技術を用いて認識されるとともに、その撮像画像がメモリ３５に記憶される。
【００４９】
その際、撮像範囲には、保護プレート１６による反射のために読取面１４（保護プレート１６）よりも筐体内側となる第２撮像範囲ＡＲ２が含まれる結果、撮像画像に表示面６１だけでなく反射部材５０の反射面５５がかすかに写り込む。この反射面５５には、照度分布がほぼ均一となるように照明光Ｌｆが照射されているため、例えば、反射面５５のうち照度が高い範囲が存在するように照度分布がばらつく場合と比較して、撮像画像において必要な照度を確保しつつ照明光Ｌｆを目立たなくすることができる。
【００５０】
また、例えば、表示媒体として所定の用紙等の表示面に表示される情報コードを読み取る場合には、モード切替スイッチ４２ａを操作することで情報コード読取モードに切り替えた後、表示面の情報コードを読取面１４にかざした状態でスキャンスイッチ４２ｂを操作する。これにより、反射部材５０にて反射された照明光源２１からの照明光Ｌｆが照射された状態で表示面が撮像され、この表示面に表示される情報コードのコード画像が解析されて、当該情報コードに記録される情報がデコードされて読み取られる。
【００５１】
また、例えば、運転免許証の表示面を撮像して保存する場合には、モード切替スイッチ４２ａを操作することで免許証等読取モードに切り替えた後、表示面を読取面１４にかざした状態でスキャンスイッチ４２ｂを操作する。これにより、反射部材５０にて反射された照明光源２１からの照明光Ｌｆが照射された状態で運転免許証の表示面が撮像され、その撮像画像がメモリ３５等に保存される。
【００５２】
この場合でも、撮像画像に運転免許証の表示面だけでなく反射部材５０の反射面５５がかすかに写り込むが、この反射面５５には、照度分布がほぼ均一となるように照明光Ｌｆが照射されているため、撮像画像において必要な照度を確保しつつ照明光Ｌｆを目立たなくすることができる。
【００５３】
以上説明したように、本実施形態に係る光学的情報読取装置１０では、照明光源２１から照射される照明光Ｌｆを読取面１４に向けて反射する反射部材５０と、読取面１４にかざされた撮像対象を撮像部２３の撮像範囲内とするように構成される結像部２７とが設けられている。上記撮像範囲のうち、結像部２７と読取面１４との間にて構成される範囲を第１撮像範囲ＡＲ１、読取面１４にて筐体内側に反射した場合に第１撮像範囲ＡＲ１に続くように読取面１４と反射部材５０との間にて構成される範囲を第２撮像範囲ＡＲ２とするとき、反射部材５０は、第１撮像範囲ＡＲ１外となる位置に配置され、照明光源２１、撮像部２３及び結像部２７は、第２撮像範囲ＡＲ２外となる位置に配置される。そして、照明光源２１により、反射部材５０のうち第２撮像範囲ＡＲ２となる反射面５５に向けて照明光Ｌｆが照射される。そして、読取面１４は、読取口として開口しており、この読取口１４を閉塞する透光性の保護プレート１６が配置される。
【００５４】
これにより、読取面１４にかざすようにして保護プレート１６上に載置した撮像対象を撮像する際、その撮像画像に、保護プレート１６による反射のために保護プレート１６よりも筐体内側が写り込むとしても、照明光Ｌｆが照射されている反射部材５０の反射面５５の全体が撮像されやすくなる。このため、照明光源２１が直接撮像される場合等と比較して、撮像画像において必要な照度を確保しつつ照明光Ｌｆが目立たなくなり照明光Ｌｆに起因するノイズ光の発生を抑制することができる。したがって、筐体内に照明光源２１を収容する場合でも、撮像画像に関して照明光Ｌｆの反射に起因するノイズ光の影響を抑制することができる。また、このように、ノイズ光の発生を抑制できるため、反射面５５に対する反射防止コート加工等を省略でき、製造コストを低減することができる。
【００５５】
特に、照明光源２１により、反射面５５での照度分布のばらつきを抑制するように照明光Ｌｆが照射されるため、反射面５５での照度分布が均一になりやすくなる結果、撮像画像において照明光Ｌｆがより目立たなくなる。したがって、撮像画像に関して照明光Ｌｆの反射に起因するノイズ光の影響を確実に抑制することができる。
【００５６】
さらに、照明光源２１は、面光源であるため、反射面５５に対してほぼ均一な照度で照明光Ｌｆを照射することができるので、当該反射面５５を利用したノイズ光抑制効果を向上させることができる。なお、図９に例示するように照明光源２１を複数の点光源２１ａで構成してもよいし、使用環境等によっては照明光源２１を１つの点光源で構成してもよい。
【００５７】
また、保護プレート１６が設けられずに読取面１４が単に開口するように形成される構成でも同様の効果を奏する。すなわち、読取面１４にかざされた撮像対象を撮像する際、その撮像画像に、撮像対象による反射のために読取面１４よりも筐体内側が写り込むとしても、撮像対象が読取面１４に対してほぼ平行であって近接するようにかざされていれば、照明光Ｌｆが照射されている反射部材５０の反射面５５の全体が撮像されやすくなる。このため、撮像画像において必要な照度を確保しつつ照明光Ｌｆが目立たなくなり照明光Ｌｆに起因するノイズ光の発生を抑制することができる。
【００５８】
［第２実施形態］
次に、本第２実施形態に係る光学的情報読取装置について、図面を参照して説明する。
本第２実施形態では、読取面１４には、撮像対象を載置するための載置部が設けられる点が、上記第１実施形態と主に異なる。
【００５９】
具体的には、図１０に示すように、保護プレート１６が廃止された筐体１１に対して、当該読取面１４にかざされた撮像対象Ｒを最適な位置にて撮像するため、その最適撮像位置にある撮像対象Ｒを少なくとも四隅にて下方から支持するように、載置部７０が着脱可能に設けられている。特に、載置部７０は、載置される撮像対象Ｒの表示面Ｒ１が読取面１４と平行であってその表示面Ｒ１と読取面１４との距離ができるだけ小さくなるように形成されている。
【００６０】
このように、読取面１４には、撮像対象Ｒを載置するための載置部７０が設けられるため、撮像対象Ｒを読取面１４にかざしやすくなるだけでなく、撮像時の読取面１４に対する撮像対象Ｒの位置を限定しやすくすることができる。このため、撮像対象Ｒによる反射のために読取面１４よりも筐体内側が写り込むとしても、反射部材５０の反射面５５と異なる部分が写り込み難くなるので、当該反射面５５を利用したノイズ光抑制効果を向上させることができる。
【００６１】
なお、載置部７０は、筐体１１に対して着脱可能に形成されることに限らず、筐体１１と一体的に設けられてもよい。このような構成では、載置部７０を採用することによる部品点数削減を図ることができるだけでなく、載置部７０と読取面１４との相対位置精度が向上する。このため、撮像時の読取面１４に対する撮像対象の位置を精度良く限定することができ、反射面５５を利用したノイズ光抑制効果をさらに向上させることができる。
【００６２】
［第３実施形態］
次に、本第３実施形態に係る光学的情報読取装置について、図面を参照して説明する。
本第３実施形態では、照明光源２１と反射部材５０との間に照明光Ｌｆを拡散する拡散材７１が配置される点が、上記第１実施形態と主に異なる。
【００６３】
具体的には、拡散材７１は、図１１に示すように、面光源として構成される照明光源２１の出射面を覆い、第１撮像範囲ＡＲ１外であって、当該拡散材７１にて拡散される照明光Ｌｆを反射部材５０の反射面５５に向けて出射するように配置されている。
【００６４】
このように、照明光源２１と反射部材５０との間に照明光Ｌｆを拡散する拡散材７１が配置されるため、拡散材７１にて拡散された照明光Ｌｆが反射面５５に照射される。これにより、反射面５５での照度分布が均一になりやすくなるため、当該反射面５５を利用したノイズ光抑制効果を向上させることができる。特に、拡散材７１を利用することで、面光源として構成される照明光源２１を小さくでき、製造コストを低減することができる。また、複数の点光源から照明光源２１が構成される場合でも必要な点光源の数を少なくすることができ、製造コストを低減することができる。
【００６５】
［第４実施形態］
次に、本第４実施形態に係る光学的情報読取装置について、図面を参照して説明する。
本第４実施形態では、反射部材５０の反射面５５に複数の凹凸が設けられる点が、上記第１実施形態と主に異なる。
【００６６】
具体的には、反射部材５０に対してシボ加工等を用いることで、少なくとも反射面５５に複数の凹凸が設けられる。
【００６７】
このように、反射部材５０の反射面５５に複数の凹凸が設けられるため、当該反射面５５での照明光Ｌｆの乱反射等により照度分布が均一になりやすくなるので、当該反射面５５を利用したノイズ光抑制効果を向上させることができる。なお、複数の凹凸は、反射面５５のみに形成されることに限らず、反射部材５０の他の部分にも形成されてもよい。また、複数の凹凸は、シボ加工により反射面５５等に設けられることに限らず、照明光Ｌｆの乱反射等を生じさせる他の加工方法を用いて反射面５５等に設けられてもよい。
【００６８】
［第５実施形態］
次に、本第５実施形態に係る光学的情報読取装置について、図面を参照して説明する。
本第５実施形態では、読取面１４での照度分布を制御する点が、上記第１実施形態と主に異なる。
【００６９】
具体的には、読取面１４での照度分布に関して、例えば、結像部２７の周辺光量低下を補うため、図１２に示すように、反射部材５０は、反射面５５が照明光源２１から離れる方向に凹となるように湾曲して形成されている。これにより、反射部材５０に近い読取面１４の辺１４ｂ側では、反射面５５が平面状に形成される場合と比較して、読取面１４の中央に対して反射面５５までの距離が相対的に短くなるので、反射部材５０に近い読取面１４の辺１４ｂ側での照度分布を読取面１４の中央よりも相対的に高めることができる。
【００７０】
このように反射面５５を湾曲させることで、反射面５５での照度分布を均一にしつつ、反射面５５にて反射された照明光Ｌｆの読取面１４での照度分布を制御することができる。すなわち、反射面５５の曲率に応じて読取面１４での照度分布を制御することができる。なお、反射面５５での照度分布は、照明光源２１からの照明光Ｌｆにより均一な状態になっているものとする。
【００７１】
本実施形態の第１変形例として、例えば、図１３に例示するように、さらに、反射面５５の下方部分を照明光源２１に近づく方向に凸となるように湾曲させることで、照明光源２１に近い読取面１４の辺１４ａ側では、反射面５５が平面状に形成される場合と比較して、反射面５５の凸部分にて反射された照明光Ｌｆが集まりやすくなる。これにより、照明光源２１に近い読取面１４の辺１４ａ側での照度分布を読取面１４の中央よりも相対的に高めて、結像部２７の周辺光量低下を補うことができる。
【００７２】
また、本実施形態の第２変形例として、照明光源２１は、平面状の反射面５５での照度分布が当該照明光源２１からの距離に応じて徐々に変化するように照明光Ｌｆを照射してもよい。具体的には、例えば、照明光源２１は、図１４に例示するように、反射面５５から離れた出射面ほど出射される照明光Ｌｆの照度が高くなるように構成される。
【００７３】
このようにしても、反射面５５での照度分布の変化を抑制しつつ、例えば、反射部材５０に近い読取面１４の辺１４ｂ側での照度分布を高めて結像部２７の周辺光量低下を補うことができる。
【００７４】
［第６実施形態］
次に、本第６実施形態に係る光学的情報読取装置について、図面を参照して説明する。
本第６実施形態では、読取面１４のうち所定の範囲に向けて、反射部材５０を介すことなく照明光を照射する点が、上記第５実施形態と主に異なる。
【００７５】
平面状に形成される反射面５５での照度分布が均一である場合、図１６に示すように、読取面１４の照度分布Ｓ１は、反射面５５から離れるほど低くなるように不均一になる。すなわち、反射部材５０に近い読取面１４の辺１４ｂ側での照度は比較的高く、照明光源２１に近い読取面１４の辺１４ａ側での照度は比較的低くなる。
【００７６】
そこで、本実施形態では、図１５に示すように、照明光源２１からの照明光の一部を、反射部材５０を介すことなく照明光源２１に近い読取面１４の辺１４ａ側に向けて照射するためのレンズ８０が別途設けられる。これにより、レンズ８０を介した照明光Ｌｆ２による読取面１４での照度分布Ｓ２は、照明光源２１に近い読取面１４の辺１４ａ側での照度が比較的高くなる。このように、照明光源２１に近い読取面１４の辺１４ａ側での照度を高めることができ、結像部２７の周辺光量低下を補うことができる。
【００７７】
本実施形態の変形例として、読取面１４のうち所定の範囲に向けて、第２の照明光として照明光Ｌｆ２を照射する第２照明光源８１が設けられてもよい。例えば、図１７に示すように、第２照明光源８１による照明光Ｌｆ２を、上記所定の範囲として、照明光源２１に近い読取面１４の辺１４ａ側に向けて照射することで、結像部２７の周辺光量低下を補うことができる。
【００７８】
なお、レンズ８０又は第２照明光源８１を利用して照射される照明光は、照明光源２１に近い読取面１４の辺１４ａ側に向けて照射されることに限らず、読取面１４のうち照度を高めたい範囲に向けて照射されてもよい。
【００７９】
［第７実施形態］
次に、本第７実施形態に係る光学的情報読取装置について、図面を参照して説明する。
本第７実施形態では、面光源が有する導光板の形状に応じて照明光を複数方向に照射する点が、上記第６実施形態と主に異なる。
【００８０】
本実施形態では、図１８に示すように、照明光源２１は、第１の発光部９１及び第２の発光部９２と、第１の発光部９１と第２の発光部９２と間に配置されて、第１の側面９４ａにて第１の発光部９１からの光が入射し第２の側面９４ｂにて第２の発光部９２からの光が入射する導光板９３とを備えている。そして、導光板９３は、第１の側面９４ａ及び第２の側面９４ｂから入射した光が出射面９５に向けて反射される複数の溝９６を内部に有し、複数の溝９６は、第１の側面９４ａ側となる第１側面９６ａの形状と第２の側面９４ｂ側となる第２側面９６ｂの形状とが異なるように非対称に形成される。
【００８１】
具体的には、溝９６は、第１側面９６ａが曲率の大きな曲面部を有するように形成されるため、図１９（Ａ）に例示するように、第１の側面９４ａ側からの光が第１側面９６ａ及び第２側面９６ｂを透過するような方向に応じて出射面９５から照射される。また、第２側面９６ｂが平面部又は平面に近い曲率の小さな曲面部を有するように形成されるため、図１９（Ｂ）に例示するように、第２の側面９４ｂ側からの光が第２側面９６ｂにて反射するような方向に応じて出射面９５から照射される。
【００８２】
すなわち、照射面から照射される照明光の照射方向を、少なくとも、第１側面９６ａの形状に起因する照射方向と第２側面９６ｂの形状に起因する照射方向との２方向に分けることができる。これにより、一方の照射方向が反射面５５に向かい、他方の照射方向が読取面１４において照度不足が生じている等の所定の範囲に向かうように、各溝９６の第１側面９６ａ及び第２側面９６ｂを形成することで、上記第６実施形態と同様の効果を奏する。
【００８３】
このように、複数の溝９６の第１の側面９４ａ側となる面の形状と第２の側面９４ｂ側となる面の形状とがそれぞれ対称となるように形成される場合と比較して、出射面から出射される照明光Ｌｆの照度分布がばらつきやすくなる。すなわち、所望する照明光Ｌｆの照度分布に応じて複数の溝９６の形状を変えることで、出射面を介して照明光Ｌｆを複数方向に照射できるだけでなく、例えば、照明光Ｌｆの一部を反射面５５に向けて照射し照明光Ｌｆの他の一部を結像部２７の周辺光量低下が生じるような読取面１４の端側に向けて照射する等、その照射方向を制御することができる。
【００８４】
本実施形態の第１変形例として、図２０に例示するように、第２の発光部９２を廃止してもよい。すなわち、本実施形態の変形例では、照明光源２１は、第１の発光部９１と、第１の側面９４ａにて第１の発光部９１からの光が入射する導光板９３とを備えるように構成される。
【００８５】
このようにしても、第１の側面９４ａから入射した光が第２の側面９４ｂにて第１の側面９４ａ側に内部反射することで、出射面から出射される照明光Ｌｆの照度分布がばらつきやすくなる。これにより、所望する照明光Ｌｆの照度分布に応じて複数の溝９６の形状を変えることで、出射面を介して照明光Ｌｆを複数方向に照射できるだけでなく、その照射方向を制御することができる。特に、第１の側面９４ａ側に第１の発光部９１を配置すればよいので、第２の側面９４ｂ側に第２の発光部９２を配置する必要も無く、照明光源２１の省スペース化及び部品点数削減を図ることができる。
【００８６】
さらに、本実施形態の第２変形例として、図２１に例示するように、第２の発光部９２を廃止した第２の側面９４ｂには、反射材９７が設けられてもよい。これにより、第１の側面９４ａから入射した光が第２の側面９４ｂにて第１の側面９４ａ側に内部反射しやすくなるために反射効率が高まるので、反射材９７が設けられないために第１の側面９４ａから入射した光の一部が第２の側面９４ｂを透過することを抑制できる結果、出射面を介し複数方向に照射される照明光Ｌｆの照度を高めることができる。
【００８７】
なお、上記第１変形例では、第２の発光部９２に代えて第１の発光部９１を廃止してもよい。また、上記第２変形例では、第２の発光部９２に代えて第１の発光部９１を廃止して、第１の側面９４ａに反射材９７を設けるようにしてもよい。すなわち、照明光源２１は、発光部と、一側面にて発光部からの光が入射する導光板９３とを備え、この導光板９３は、一側面から入射した光が出射面９５に向けて反射される複数の溝９６を内部に有し、これら複数の溝９６は、導光板９３の各側面のうち上記一側面に対向する面を他側面とするとき、一側面側となる面の形状と他側面側となる面の形状とが異なるように非対称に形成されてもよい。
【００８８】
なお、本発明は上記各実施形態及び変形例等に限定されるものではなく、例えば、以下のように具体化してもよい。
（１）保護プレート１６は、上述したように読取面１４となる位置に配置されることに限らず、例えば、図２２に例示するように、筐体１１内であって照明光源２１よりも下方となる位置に配置されてもよい。このようしても、照明光源２１からの照明光Ｌｆが保護プレート１６にて反射することに起因するノイズ光の発生を抑制することができる。
【００８９】
（２）筐体１１の上面１１ａは、読取面１４と一端部１５とにより構成されて、辺１４ｂ〜１４ｄに沿う各縁部分の幅が一端部１５に対して小さくなるように形成されることに限らず、例えば、読取面１４が上面１１ａの中央に配置されることで、辺１４ａ〜１４ｄにそれぞれ沿う各縁部分の幅がほぼ等しくなるように形成されてもよい。
【００９０】
（３）操作部４２や表示部４３等は、一端部１５に集約されるようにして配置されることに限らず、その一部が例えば筐体１１の側面等に配置されてもよい。
【００９１】
（４）結像部２７により規定される撮像範囲は、読取面１４にて保護プレート１６等により筐体内側に反射した場合に第１撮像範囲ＡＲ１に続く範囲が上記第２撮像範囲ＡＲ２となるように設定されることに限らず、読取面１４にて保護プレート１６等により筐体内側に反射した場合に第１撮像範囲ＡＲ１に続く範囲の一部が実運用上問題無い程度（例えば２割程度）に反射部材５０と異なる筐体内の他の部分を含めるように設定されてもよい。
【００９２】
（５）本発明に係る光学的情報読取装置１０は、上述したパスポート６０や情報コード等を読取対象とすることに限らず、例えば、他の文字情報等を含めた光学的情報をも読取対象としてもよい。また、本発明に係る光学的情報読取装置１０は、上述したパスポート６０の表示面６１の撮像画像や運転免許証の撮像画像等を保存対象とすることに限らず、他の表示面の撮像画像をも保存対象としてもよい。
【符号の説明】
【００９３】
１０…光学的情報読取装置
１１…筐体
１４…読取面
１６…保護プレート
２１…照明光源
２３…撮像部
２７…結像部
４０…制御部（読取部）
５０…反射部材
５５…反射面（所定の反射面）
６０…パスポート（撮像対象）
７０…載置部
７１…拡散材
８０…レンズ
８１…第２照明光源
９１…第１の発光部
９２…第２の発光部
９３…導光板
９６…溝
ＡＲ１…第１撮像範囲
ＡＲ２…第２撮像範囲
Ｌｆ…照明光
【図１】
2019046212.tif 000003
【図２】
2019046212.tif 000004
【図３】
2019046212.tif 000005
【図４】
2019046212.tif 000006
【図５】
2019046212.tif 000007
【図６】
2019046212.tif 000008
【図７】
2019046212.tif 000009
【図８】
2019046212.tif 000010
【図９】
2019046212.tif 000011
【図１０】
2019046212.tif 000012
【図１１】
2019046212.tif 000013
【図１２】
2019046212.tif 000014
【図１３】
2019046212.tif 000015
【図１４】
2019046212.tif 000016
【図１５】
2019046212.tif 000017
【図１６】
2019046212.tif 000018
【図１７】
2019046212.tif 000019
【図１８】
2019046212.tif 000020
【図１９】
2019046212.tif 000021
【図２０】
2019046212.tif 000022
【図２１】
2019046212.tif 000023
【図２２】
2019046212.tif 000024